(57)【要約】【課題】延長管を斜めに起こした状態での使い勝手を損なうことなく、延長管を横倒しとした状態での使い勝手を向上できるようにした電気掃除機を提供する。【解決手段】吸込みヘッド及びこのヘッドから突出された接続管が自在継手部で連結された吸込み口体を備え、この吸込み口体と掃除機本体とが、接続管に接続された延長管５１と、掃除機本体に接続された吸塵ホース５と、これら吸塵ホース５及び延長管５１が手元パイプ２１を介して接続された電気掃除機を前提とする。手元ハンドル３１は手元パイプ２１と別体である。この手元ハンドル３１を手元パイプ２１周りに回動可能に取付ける。電気掃除機はハンドルロック手段４１を備える。このロック手段４１により、手元ハンドル３１を手元パイプ２１の上側に配置された状態に保持し、この保持が解除された状態で手元パイプ２１周りの手元ハンドル３１の回動を許すことを特徴としている。【選択図】      図２
2010094372.tif 000002
【特許請求の範囲】
【請求項１】
掃除機本体と、吸込みヘッド及びこのヘッドから突出された接続管が自在継手部で連結された吸込み口体とが、前記接続管に接続された延長管、前記掃除機本体に接続された吸塵ホース、及びこの吸塵ホースと前記延長管とに接続されてこれら吸塵ホースと延長管を連通しかつ手元ハンドルが設けられた手元パイプを介して接続されている電気掃除機において、
前記手元ハンドルが前記手元パイプと別体で、この手元ハンドルが前記手元パイプ周りに回動可能に取付けられていて、前記手元ハンドルを前記手元パイプの上側に配置された状態に保持するとともにこの保持が解除された状態で前記手元パイプ周りの前記手元ハンドルの回動を許すハンドルロック手段を備えていることを特徴とする電気掃除機。
【発明の詳細な説明】
【技術分野】
【０００１】
本発明は、吸塵ホースの先端側に設けられた手元ハンドルを掴んで、吸塵ホースに連通された延長管の先端部に取付けられた吸込み口体を、被掃除面に沿って移動させて掃除をする電気掃除機に関する。
【背景技術】
【０００２】
電気掃除機の床用吸込み口体は、その吸込みヘッド及びこのヘッドから突出された接続管が自在継手部で連結された構成であることが一般的である。
【０００３】
従来、掃除機本体と吸込み口体とを、吸込み口体の接続管に接続された延長管、掃除機本体に接続された吸塵ホース、及びこの吸塵ホースと延長管とに接続されてこれらを連通し、くの字状に形成された手元パイプを介して接続するとともに、手元パイプの上側に手元ハンドルを一体に設けた電気掃除機が知られている（例えば、特許文献１参照。）。
【０００４】
この特許文献１の電気掃除機では、吸塵ホースの先端側に設けられた手元ハンドルを掴んで押し引きすることに伴い、延長管を介して吸込み口体を床面等の被掃除面に沿って前後進させることができるとともに、手元ハンドルを捻ることにより吸込み口体の向きを変えることができる。
【特許文献１】特開２００７−２３６９７１号公報（段落００１４−００１６、図１−図３）
【発明の開示】
【発明が解決しようとする課題】
【０００５】
従来の電気掃除機で、例えばベッドの下方空間に臨んだ床面を掃除する場合、延長管を斜めに起こした状態で、前記下方空間の奥深くまで吸込み口体を前進させようとする場合、延長管を床面に近付ける必要がある。その際、手元パイプがくの字状に曲がっていることにより、この手元パイプに接続された吸塵ホースが床面に接するようになった時点で、それ以上延長管を床面に近付けることができなくなる。そのため、延長管が斜めに起きた状態での前進操作を余儀なくされるのに伴い、この延長管がベッドに当たって、それ以上、前進操作をすることができない。
【０００６】
このような事態に対処するには、接続管及びこれに接続された延長管を、吸込み口体の自在継手部を中心にして床面に沿うように横倒しにすればよい。これにより、延長管がベッドに接触することを避けて、前記下方空間の奥深くまで吸込み口体を前進させて掃除することができる。
【０００７】
しかし、従来の電気掃除機の手元ハンドルは、既述のようにくの字状に曲がっている手元パイプの上側に一体に設けられているので、前記横倒しによって手元ハンドルも横向きになることは避けられない。手元ハンドルは上向きとなっていることを前提として作られているので、それが横向きになった状態で吸込み口体を押し引きするには、手首に負荷が掛かった状態で操作することを余儀なくされる。したがって、使い勝手が悪く、その改善が求められている。
【０００８】
又、電気掃除機の手元ハンドルが曲がっておらず直管状である場合には、延長管を床面に沿うように真下に倒すことが可能であるので、吸込み口体をベッドの下方空間の奥深くまで挿入させることができる。しかし、延長管と床用の吸込み口体を連結した自在継手部の上下方向の可動角は、延長管が床面に沿うように真下に倒された状態を許容するほど大きくはない。そのため、延長管が床面に沿うように真下に倒されるに伴い、吸込み口体が床面から離れて自在継手部を支点に斜め上むきに持ち上がってしまう。したがって、このような事情を考慮してベッドの下方空間を掃除するには、接続管及びこれに接続された延長管を、吸込み口体の自在継手部を中心にして床面に沿うように横倒しにしなければならない。しかし、この場合にも、手首に負荷が掛かった状態で操作することを余儀なくされるので、使い勝手が悪い。
【０００９】
本発明の目的は、延長管を斜めに起こした状態での使い勝手を損なうことなく、延長管を横倒しとした状態での使い勝手を向上できるようにした電気掃除機を提供することにある。
【課題を解決するための手段】
【００１０】
本発明は、吸込みヘッド及びこのヘッドから突出された接続管が自在継手部で連結された吸込み口体を備え、この吸込み口体と掃除機本体とが、接続管に接続された延長管、掃除機本体に接続された吸塵ホース、及び両端部が吸塵ホースと延長管とに接続されるとともに手元ハンドルが外側に設けられた手元パイプを介して接続された電気掃除機を前提とする。
【００１１】
本発明の電気掃除機は、ハンドルロック手段を備えているとともに、手元ハンドルを手元パイプと別体として、この手元ハンドルを、吸塵ホースが接族された手元パイプ周りに回動可能に取付けており、前記ハンドルロック手段により、手元ハンドルを手元パイプの上側に配置された状態に保持するとともに、この保持が解除された状態で手元パイプ周りの手元ハンドルの回動を許すことを特徴としている。
【発明の効果】
【００１２】
本発明の電気掃除機によれば、延長管を斜めに起こした状態での使い勝手を損なうことなく、延長管を横倒しとした状態での使い勝手を向上することができる。
【発明を実施するための最良の形態】
【００１３】
図１〜図８を参照して本発明の一実施形態を説明する。
【００１４】
図１中符号１は例えばキャニスタ型の電気掃除機を示している。この電気掃除機１は車輪が取付けられた掃除機本体２を備えている。掃除機本体２は、それに内蔵された電動送風機（図示しない）の上流側に位置する集塵室（図示しない）を有して、かつ掃除機本体２の前壁に開口されて集塵室に連通した吸塵口２ａを有している。なお、図１中符号２ｂは集塵室を開閉する集塵室蓋を示しており、この蓋が開かれた状態で集塵室内に図示しない集塵袋（図示しない）が出し入れされるようになっている。
【００１５】
電気掃除機１は、集塵室に含塵空気を導く吸塵風路体３を備えている。吸塵風路体３は、吸塵ホース５、手元パイプ２１、手元ハンドル３１、ハンドルロック手段４１、延長管５１、及び吸込み口体５５を備えている。
【００１６】
吸塵ホース５は蛇腹管状をなしていて可撓性を有している。吸塵ホース５は、その一端部、つまり、この吸塵ホース５を通る含塵気流の流れ方向を基準として下流側端部に、連結管部６を有している。この連結管部６は掃除機本体２の吸塵口２ａに着脱可能に差込接続されている。図２に示すように吸塵ホース５は、その他端部（先端部）、つまり、この吸塵ホース５を通る含塵気流の流れ方向を基準として上流側端部に、接続管部７を有している。
【００１７】
接続管部７の先端部外周に、周方向に連続する環状の気密シール材８が取付けられている。これとともに、接続管部７の先端部外周に連結溝９が設けられ、かつ、接続管部７の基端部外周にカバー取付け溝１０が設けられている。連結溝９とカバー取付け溝１０とはいずれも接続管部７の周方向に連続して接続管部７の外周から一体に突設されたフランジ間に形成されている。
【００１８】
連結溝９は気密シール材８の近傍に設けられ、カバー取付け溝１０は気密シール材８から最も離れて設けられている。カバー取付け溝１０には柔軟性を有した合成樹脂製のカバー１１が嵌合して取付けられている。このカバー１１は吸塵ホース５の蛇腹管部における接続管部７側の端部を覆っている。
【００１９】
更に、連結溝９とカバー取付け溝１０との間に位置して複数の環状溝が、接続管部７の周方向に連続して接続管部７の外周から一体に突設されたフランジ間に夫々形成されていて、所定の環状溝の夫々にはスリップリング１２が取付けられている。各スリップリング１２は図示しない電線を介して吸塵ホース５がその蛇腹状形態を保持するために用いた螺旋状のピアノ線（図示しない）に接続されている。なお、ピアノ線は前記連結管部６に設けられた図示しない電気コネクタに接続されていて、このコネクタは、吸塵口２ａに設けられている図示しないコネクタ受けに嵌合して掃除機本体２内の図示しない制御部に電気的に接続されている。制御部は電動送風機の運転を制御するものである。
【００２０】
図２に示すように手元パイプ２１は、接続管部７の外側に嵌合して配置された下流側パイプ状部２１ａと、この下流側パイプ状部２１ａの前端から接続管部７の上流側に一体に連続して突設された上流側パイプ状部２１ｂと、下流側パイプ状部２１ａの上部に固定されたストッパー２２を備えている。
【００２１】
下流側パイプ状部２１ａと上流側パイプ状部２１ｂとは、相互間に鈍角を形成して連続しており、そのため、手元パイプ２１は、くの字状に曲がっている。この曲がりは、後述のハンドル部３１を握って床面を掃除する際の通常の使用状態で、下流側パイプ状部２１ａを略水平に配置させるとともに、この下流側パイプ状部２１ａの前端から斜め下向きに上流側パイプ状部２１ｂを突出させ、それにより、上流側パイプ状部２１ｂに接続される後述の延長管５１を斜めに起こした状態に配置させて、その押し引き操作を可能とするために考慮されている。
【００２２】
下流側パイプ状部２１ａに対して接続管部７は周方向に回転可能である。気密シール材８は下流側パイプ状部２１ａの内周面にこの内周面に周方向に沿って摺動可能に接していている。それにより、下流側パイプ状部２１ａとこの内側に配置された接続管部７との間がシールされている。
【００２３】
図３に示すように下流側パイプ状部２１ａは手元パイプ２１に対する後述の手元ハンドル３１の回動角を規定する一対の回り止め部２３を有している。回り止め部２３は下流側パイプ状部２１ａの外面に例えば略１８０°離れて一体に突設されている。これら回り止め部２３は連結溝９内に位置されている。
【００２４】
図２に示すようにストッパー２２は、上流側パイプ状部２１ｂにねじ止めされているとともに、この上流側パイプ状部２１ｂの軸方向略全長にわたって延びている。ストッパー２２の固定側の一端部裏面に抜け止め部２２ａが一体に突設され、この凸状の抜け止め部２２ａが連結溝９に上方から挿入されている。連結溝９を形成している接続管部７の外周のフランジに対する抜け止め部２２ａの係合により、接続管部７が手元パイプ２１の下流側パイプ状部２１ａから軸方向に沿って抜けることがないように保持されている。
【００２５】
ストッパー２２はその長手方向の他端部にロック部２２ｂを有している。図２及び図４に示すようにロック部２２ｂは、ストッパー２２の表面に開放され凹部からなるが、通孔により形成することもできる。
【００２６】
図２に示すように手元パイプ２１の上流側パイプ状部２１ｂに、係止孔２５と、係止機構２６と、機構カバー２７が設けられている。係止孔２５は上流側パイプ状部２１ｂの周壁を貫通している。係止機構２６は、上流側パイプ状部２１ｂの外面側に取付けられた係止釦２６ａ及びばね２６ｂを有している。係止釦２６ａは図示しない支点を中心に回動可能であり、その一端部が機構カバー２７から突出するようにこの機構カバー２７の裏側からばね２６ｂで付勢されている。この付勢により係止釦２６ａの他端部が係止孔２５に挿通されているとともに、前記一端部が機構カバー２７の裏側に押し込まれるに伴い前記他端部が係止孔２５から外れるようになっている。
【００２７】
手元ハンドル３１は手元パイプ２１と別体に作られている。この手元ハンドル３１は、図２〜図４に示すようにハンドル基部３１ａと、このハンドル基部３１ａから一体に斜状をなして突設されたハンドル部３１ｂとを有している。
【００２８】
図２に示すようにハンドル基部３１ａはその軸方向に移動しないように手元パイプ２１の下流側パイプ状部２１ａを包囲して、この下流側パイプ状部２１ａの周方向に回動可能に取付けられている。ハンドル基部３１ａの内面に突起状のストッパー部３２が一体に突設されている。ストッパー部３２は図２及び図３に示すように連結溝９に挿入されている。
【００２９】
手元ハンドル３１が図３中時計回りに回動された際、同図中の左側の回り止め部２３にストッパー部３２が当たる。それにより、手元ハンドル３１の前記時計回りの回動が規制されるとともに、手元ハンドル３１が横倒し状態に保持される。同様に、手元ハンドル３１が図３中反時計回りに回動された際、同図中の右側の回り止め部２３にストッパー部３２が当たる。それにより、手元ハンドル３１の前記反時計回りの回動が規制されるとともに、手元ハンドル３１が横倒し状態に保持される。これら両位置での回動規制により手元ハンドル３１が際限なく回転することがなくなるとともに、後述する電線３４に過大な負荷を与えないようにできる。
【００３０】
ハンドル部３１ｂは、吸塵ホース５の上流側端部及びカバー１１より離れている。図２に示すようにハンドル部３１ｂには、この表面に露出して前記電動送風機の運転に対する制御指令を与える操作パネル３３が取付けられている。操作パネル３３は図１に示すようにタッチ式の操作釦を複数有している。図２中符号３４を操作パネル３３から裏側に引出された電線を示している。これらの電線３４は、前記ストッパー２２の裏側に突出して取付けられた複数の接触片３５に接続されている。各接触片３５はそのばね力により対応するスリップリング１２に弾性的に接触している。
【００３１】
ハンドルロック手段４１は、手元ハンドル３１を図２、図４に示すように手元パイプ２１の上側に配置された状態に保持するとともに、この保持が解除された状態で手元パイプ２１に対する手元ハンドル３１の回動を許すものである。このハンドルロック手段４１は、前記ロック部２２ｂと、ロック部材４２と、ロックばね４３とを備えている。
【００３２】
ロック部材４２は、ハンドル部３１ｂの根元部に形成されたガイド部４４に摺動自在に取付けられている。ロック部材４２の手元パイプ側端部は、手元パイプ２１のロック部２２ｂに上方から挿脱自在である。ロックばね４３はロック部材４２をストッパー２２に向けて付勢している。それにより、前記手元パイプ側端部がロック部２２ｂに挿入されて、ハンドル部３１ｂが手元パイプ２１の上側に配置された状態（図２〜図４）が保持されるようになっている。
【００３３】
ハンドル部３１ｂの根元部にはガイド部４４内に連通するスライド孔４５が開口されている。このスライド孔４５にはロック部材４２の他端部から折れ曲がるように設けられた操作摘み部４２ａが通されている。操作摘み部４２ａはハンドル部３１ｂを握った操作者の手の人差し指で、ロックばね４３に抗して引き上げ操作可能である。この操作に伴うロック部材４２の移動により、ロック部材４２がロック部２２ｂから外されて、手元ハンドル部３１の回転が許されるようになっている。
【００３４】
図１に示すように延長管５１は、例えば上流側管体５２と下流側管体５３を伸縮可能に組み合わせた二本継形のものである。下流側管体５３の下流側端部５３ａは、図２に示すように上流側パイプ状部２１ｂの内側に着脱可能に嵌入されている。この下流側端部５３ａの外周に係止溝５３ｂが形成されていて、この係止溝５３ｂに係止釦２６ａが係合することにより、延長管５１と手元パイプ２１との接続が保持される。この状態で、手元パイプ２１を介して延長管５１と下流側の吸塵ホース５とが連通されるようになっている。
【００３５】
図５（Ａ）（Ｂ）及び図６（Ａ）（Ｂ）に示すように吸込み口体５５は、室内の床面を掃除するのに適したものであって、吸込みヘッド５６及び接続管５７を備えている。
【００３６】
図１に示すように吸込みヘッド５６はその下面に左右方向に延びて形成された吸込み開口５６ａを有している。接続管５７は、吸込みヘッド５６の後部中央に自在継手部５８を介して連結され吸込みヘッド５６の後方に突出されている。この接続管５７は、延長管５１の上流側端部、つまり上流側管体５２の先端部に着脱可能に接続されている。なお、図１中符号５９は接続管５７と上流側管体５２との接続を維持する係止機構を示しており、これは前記係止機構２６と同様な構成である。
【００３７】
自在継手部５８は、二股凸部６０ａを有したヘッド側継手管６０と、延長管側継手管６１とを有している。ヘッド側継手管６０は、吸込みヘッド５６の左右方向中央部に後向きに突設されていて、吸込みヘッド５６の前後方向に延びる中心軸線Ｘ（図５（Ａ）参照）の周りに回転可能である。延長管側継手管６１は、上流側管体５２の先端から突出されていて、二股凸部６０ａに挟まれてこれらに枢着されている。この延長管側継手管６１は図５（Ａ）に示すように二股凸部６０ａを通って中心軸線Ｘと直交する直線Ｙの周りに回転可能である。なお、二股凸部６０ａ間の凹みはヘッド側継手管６０の逃げ部６０ｂをなしている。
【００３８】
次に、電気掃除機１を用いて室内の床面Ｆを掃除する通常の掃除作業について図７（Ａ）（Ｂ）を参照して説明する。
【００３９】
この掃除の場合、ハンドルロック手段４１は図２及び図４に示す状態にある。即ち、ロック部材４２がロック部２２ｂに嵌り込んだ係合状態にあり、手元パイプ２１の上側に手元ハンドル３１のハンドル部３１ｂが起きるように保持されている。これとともに、手元パイプ２１と吸込み口体５５とにわたっている延長管５１及び吸込み口体５５の接続管５７は、図７（Ａ）に示すように自在継手部５８を起点に斜めに起きた状態にある。この状態を平面的にみると、図７（Ｂ）に示すように吸込み口体５５に対して延長管５１は真後ろに真っ直ぐに延びた状態にある。なお、この場合、図５（Ａ）（Ｂ）に示すように自在継手部５８のヘッド側継手管６０は、その二股凸部６０ａを左右に並べるとともにこれらの間の逃げ部６０ｂを上にして配置されている。
【００４０】
そのため、電動送風機の運転下で、使用者がハンドル部３１ｂを握って押し引き操作することに伴い、吸込み口体５５を床面Ｆに沿って前後に移動させながら、床面Ｆ上の塵埃を、吸込み開口５６ａから吸込んで吸塵風路体３を経由させて掃除機本体２に集塵することができる。この場合、ハンドルロック手段４１により手元ハンドル３１が手元パイプ２１に対して動かないように連結されているので、延長管５１を斜めに起こして行われる通常の使用状態での使い勝手を損なうことがない。
【００４１】
しかも、この連結により、手元ハンドル３１が捻るように操作された場合、その操作力が延長管５１を介して自在継手部５８に確実に伝えられる。そのため、ヘッド側継手管６０が中心軸線Ｘ周りに捻り方向にしたがって回動されるに伴い、吸込み口体５５の向きが斜めに変えられて、その方向に吸込み口体５５を押し動かすことができる。
【００４２】
ところで、図７（Ａ）（Ｂ）に示したように延長管５１が斜めに起こされた状態のままで、図８（Ａ）（Ｂ）に示したベッドＢの下方の床面Ｆを掃除しようとすると、ベッドＢの下方空間に対してある深さまで吸込み口体５５が挿入されると、斜めの延長管５１がベッドＢに干渉して、それ以上の前進は困難である。更に、図７（Ａ）の状態から延長管５１を真下に倒しても、手元パイプ２１がくの字形に曲がっていることを原因として、図８（Ａ）に示すように延長管５１を床面Ｆに接触させることはできない。そのため、この状態でベッドＢの下方空間にある深さまで吸込み口体５５が挿入されても、斜めの延長管５１がベッドＢに干渉して、それ以上の前進が困難となる。
【００４３】
この場合、以下のように対処できる。まず、ハンドルロック手段４１の操作摘み部４２ａに指を掛けてロック部材４２をロックばね４３に抗して引き上げ、ロック部材４２をロック部２２ｂから抜き外す。それにより、手元パイプ２１に対する手元ハンドル３１のロックが解除されて、手元ハンドル３１が手元パイプ２１の周りを回動可能となる。
【００４４】
次に、この状態のまま手元ハンドル３１を床面Ｆに接する方向に移動させることにより、手元ハンドル３１と手元パイプ２１とが相対的に回動される。具体的には、延長管５１に係止機構２６を介して連結されている手元パイプ２１は回動されることはないが、この手元パイプ２１に沿って手元ハンドル３１が相対的に回動される。それにより、手元ハンドル３１のハンドル部３１ｂが手元パイプ２１の上側に配置された状態が維持されるので、ハンドル部３１ｂを握っている使用者の手の手首が無理に曲げられることがない。
【００４５】
以上の操作により、図６（Ａ）（Ｂ）に示すように自在継手部５８のヘッド側継手管６０が、その二股凸部６０ａが上下方向に並ぶように回動されるとともに、それに伴い図８（Ａ）に示したように延長管５１が床面Ｆと略平行な状態に倒される。この状態を平面的にみると、図８（Ｂ）に示すように吸込み口体５５に対して延長管５１は自在継手部５８を起点に斜めに折れ曲がって延びた状態にある。
【００４６】
なお、図６（Ａ）（Ｂ）及び図８（Ａ）（Ｂ）は、使用者を基準に延長管５１を左側に倒した例を示しているが、この逆に右側に延長管５１を倒した場合にも、同様の理由により、ハンドル部３１ｂが通常の使用状態と同じく上を向いた状態に維持されるので、ハンドル部３１ｂを握っている使用者の手の手首が無理に曲げられることがない。
【００４７】
そのため、ハンドル部３１ｂを握った使用者の手で吸塵風路体３を押し引き操作することに伴い、ベッドＢに妨げられることなく、吸込み口体５５を床面Ｆに沿って前後に移動させて、ベッドＢの下方の床面Ｆを掃除することができる。この場合、既述のように使用者の手の手首が無理に曲げられていないので、通常の掃除と同様に楽に押し引き操作ができるので、使い勝手が良い。
【００４８】
なお、前記一実施形態ではハンドルロック手段４１がハンドル部３１ｂの根元部裏側に配置された操作摘み部４２ａを有しているので、ハンドル部３１ｂを握った手でハンドルロック手段４１を操作できるとともに、不用意にハンドルロック手段４１が操作され難い点で好ましい。しかし、本発明において、ハンドルロック手段４１は、ハンドル部３１ｂを握っていない他方の手で操作されるように設けることもできる。
【００４９】
又、前記一実施形態では、手元ハンドル３１の回転角の規制を、吸塵ホース５の接続管部７が手元パイプ２１から抜けないようにするための連結溝９内で実施したが、これに代えて他の場所で行うことも可能である。
【００５０】
更に、連結溝９内で手元ハンドル３１の回転角の規制を実施する場合、ストッパー２２をストッパー部として利用し、ハンドル部３１ｂが手元パイプ２１の上側に上向きに配置された状態で、ハンドル基部３１ａの内面に例えばストッパー２２から略９０度隔たった位置に夫々突起状の回り止め部２３を設けて、これら回り止め部２３がストッパー２２に接することで、手元ハンドル３１の回転角の規制することも可能である。
【００５１】
又、前記一実施形態は、くの字状に曲がっている手元ハンドルを備えた電気掃除機について実施した例であるが、本発明は、手元ハンドルが曲がっておらず直管状である電気掃除機にも適用可能である。
【図面の簡単な説明】
【００５２】
【図１】本発明の一実施形態に係る電気掃除機を示す斜視図。
【図２】図１の電気掃除機の手元ハンドルの取付け部を拡大して示す断面図。
【図３】図２中Ｆ３-Ｆ３線に沿う断面図。
【図４】図２中Ｆ４-Ｆ４線に沿う断面図。
【図５】（Ａ）は図１の電気掃除機の吸込み口体をその接続管が斜め上後方に突出する通常の使用状態で示した斜視図。（Ｂ）は同吸込み口体を図５（Ａ）中Ｆ５Ｂ方向から見て示した側面図。
【図６】（Ａ）は図１の電気掃除機の吸込み口体をその接続管が倒された使用状態で示した斜視図。（Ｂ）は同吸込み口体を図６（Ａ）中Ｆ６Ｂ方向から見て示した側面図。
【図７】（Ａ）及び（Ｂ）は、図１の電気掃除機が通常の使用状態にあるときの吸込み口体と手元ハンドルの位置関係を示した側面図及び平面図。
【図８】（Ａ）及び（Ｂ）は、ベッドの下を図１の電気掃除機で掃除する使用状態にあるときの吸込み口体と手元ハンドルの位置関係を示した側面図及び平面図。
【符号の説明】
【００５３】
１…電気掃除機、２…掃除機本体、５…吸塵ホース、７…接続管部、２１…手元パイプ、２１ａ…下流側パイプ状部、２１ｂ…上流側パイプ状部、２２…ストッパー、２２ａ…抜け止め部、２２ｂ…ロック部、２３…回り止め部、３１…手元ハンドル、３１ａ…ハンドル基部、３１ｂ…ハンドル部、３２…ストッパー部、４１…ハンドルロック手段、４２…ロック部材、４２ａ…操作摘み部、４３…ロックばね、５１…延長管、５５…吸込み口体、５６…吸込みヘッド、５７…接続管、５８…自在継手部
【図１】
2010094372.tif 000003
【図２】
2010094372.tif 000004
【図３】
2010094372.tif 000005
【図４】
2010094372.tif 000006
【図５】
2010094372.tif 000007
【図６】
2010094372.tif 000008
【図７】
2010094372.tif 000009
【図８】
2010094372.tif 000010